【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
複数の磁気センサにより、被検者の生体から発せられる磁場を検出し、検出結果に基づく計測データを任意の表示形態で表示する磁場計測装置の表示方法であって、
被検者リスト，データ計測またはデータ解析を含む操作メニューを選択する処理機能表示部と、被検者情報表示部と、データ表示領域とを備えた操作情報表示画面を表示することを特徴とする磁場計測装置の表示方法。
【請求項２】
複数の磁気センサにより、被検者の生体から発せられる磁場を検出し、検出結果に基づく計測データを任意の表示形態で表示する磁場計測装置の表示方法であって、
被検者リスト，データ計測またはデータ解析を含む操作メニューを選択する処理機能表示部と、被検者情報表示部と、データ表示領域とを備えた操作情報表示画面を表示し、
前記データ表示領域は、上下に分割される被験者情報表示画面と左右に分割される磁場図表示画面とに切り替え可能であり、
前記被験者情報画面は、上部に配置される被検者リスト表示部と、下部に配置される上記被検者リスト表示部で選択された被検者に関するデータ表示部とを備え、
前記磁場図表示画面は、左側に配置される前記複数の磁気センサで計測された波形図を表示する解析データ表示部と、右側に配置される前記解析データ表示部に表示された波形を処理操作するための操作領域表示部とを備え、
前記被検者情報表示画面と前記磁場図表示画面は、前記処理機能表示部の操作メニューの選択に基づいて切り替え可能に表示されることを特徴とする磁場計測装置の表示方法。
【請求項３】
請求項２において、
前記データ表示部は、選択された被検者の情報をリスト形式で表示し、前記リストは、計測された生データか、アベレージング処理されたデータかを示す項目情報を備えていることを特徴とする磁場計測装置の表示方法。
【請求項４】
請求項２または３において、
前記処理機能表示部は、各選択項目が左右に並べて配置され、夫々の選択項目の選択に基づいて所定の位置にサブ項目を表示し、当該サブ項目の選択に基づいて操作指示を受け付けることを特徴とする磁場計測装置の表示方法。
【請求項５】
請求項２〜４のいずれか１つにおいて、
前記処理機能表示部は、前記操作メニューとして被検者登録を備え、
当該被検者登録が選択されると、被検者登録情報の入力を受け付ける被検者登録画面を前記操作情報表示画面上に新たに表示することを特徴とする磁場計測装置の表示方法。
【請求項６】
請求項５において、
前記被検者登録画面は、複数の入力項目と登録を実行する登録ボタンと当該被検者登録画面を消去する終了ボタンとを備え、
前記登録ボタンが選択されると、前記複数の入力項目を被検者情報として登録するとともに、当該入力項目を消去して再入力状態となることを特徴とする磁場計測装置の表示方法。
【請求項７】
請求項２〜６のいずれか１つにおいて、
前記操作メニューの選択は、前記操作情報表示画面の表面に配置されたタッチパネルの操作に基づいて行われることを特徴とする磁場計測装置の表示方法。
【手続補正２】
【補正対象書類名】明細書
【補正対象項目名】発明の名称
【補正方法】変更
【補正の内容】
【発明の名称】磁場計測装置の表示方法
【手続補正３】
【補正対象書類名】明細書
【補正対象項目名】０００１
【補正方法】変更
【補正の内容】
【０００１】
本発明は、生体の脳の神経活動や心臓の心筋活動等、生体内の電流などが原因で発生する生体の磁場を計測する磁場計測装置の表示方法に関する。
【手続補正４】
【補正対象書類名】明細書
【補正対象項目名】０００４
【補正方法】変更
【補正の内容】
【０００４】
前記従来例は、生体磁気イメージング装置に関する動作原理に関するものであり、その開示内容には実施化する上での技術課題や解決手段が開示されていない。また、前記従来例は脳の内部に発生する生体活動電流に関するものであって、他の部位に関する具体的な開示はなされていない。
本発明の目的は、管理が容易で操作性が良好な生体の磁場計測装置の表示方法を提供することにある。
【手続補正５】
【補正対象書類名】明細書
【補正対象項目名】０００５
【補正方法】変更
【補正の内容】
【０００５】
本発明は、複数の磁気センサにより、被検者の生体から発せられる磁場を検出し、検出結果に基づく計測データを任意の表示形態で表示する磁場計測装置の表示方法であって、被検者リスト，データ計測またはデータ解析を含む操作メニューを選択する処理機能表示部と、被検者情報表示部と、データ表示領域とを備えた操作情報表示画面を表示することを特徴とする。
【手続補正６】
【補正対象書類名】明細書
【補正対象項目名】０００６
【補正方法】変更
【補正の内容】
【０００６】
また、本発明は、複数の磁気センサにより、被検者の生体から発せられる磁場を検出し、検出結果に基づく計測データを任意の表示形態で表示する磁場計測装置の表示方法であって、被検者リスト，データ計測またはデータ解析を含む操作メニューを選択する処理機能表示部と、被検者情報表示部と、データ表示領域とを備えた操作情報表示画面を表示し、前記データ表示領域は、上下に分割される被験者情報表示画面と左右に分割される磁場図表示画面とに切り替え可能であり、前記被験者情報画面は、上部に配置される被検者リスト表示部と、下部に配置される上記被検者リスト表示部で選択された被検者に関するデータ表示部とを備え、前記磁場図表示画面は、左側に配置される前記複数の磁気センサで計測された波形図を表示する解析データ表示部と、右側に配置される前記解析データ表示部に表示された波形を処理操作するための操作領域表示部とを備え、前記被検者情報表示画面と前記磁場図表示画面は、前記処理機能表示部の操作メニューの選択に基づいて切り替え可能に表示されることを特徴とする。
【手続補正７】
【補正対象書類名】明細書
【補正対象項目名】０００７
【補正方法】変更
【補正の内容】
【０００７】
そして、前記データ表示部は、選択された被検者の情報をリスト形式で表示し、前記リストは、計測された生データか、アベレージング処理されたデータかを示す項目情報を備えていることを特徴とする。
また、前記処理機能表示部は、各選択項目が左右に並べて配置され、夫々の選択項目の選択に基づいて所定の位置にサブ項目を表示し、当該サブ項目の選択に基づいて操作指示を受け付けることを特徴とする。
また、前記処理機能表示部は、前記操作メニューとして被検者登録を備え、当該被検者登録が選択されると、被検者登録情報の入力を受け付ける被検者登録画面を前記操作情報表示画面上に新たに表示することを特徴とする。
また、前記被検者登録画面は、複数の入力項目と登録を実行する登録ボタンと当該被検者登録画面を消去する終了ボタンとを備え、前記登録ボタンが選択されると、前記複数の入力項目を被検者情報として登録するとともに、当該入力項目を消去して再入力状態となることを特徴とする。
また、前記操作メニューの選択は、前記操作情報表示画面の表面に配置されたタッチパネルの操作に基づいて行われることを特徴とする。
【手続補正８】
【補正対象書類名】明細書
【補正対象項目名】０００８
【補正方法】変更
【補正の内容】
【０００８】
本発明によれば、操作性と視認性が良好な生体の磁場計測装置の表示方法が可能となる。